(57)【要約】  光学伝送システムは波長多重モードにおいて動作するメトロコアネットワーク（ＭＥＴ）を包含し、このメトロコアネットワーク（ＭＥＴ）にはメトロ接続装置（ＭＡＰ）を介して、受動的な光学スプリッタ（ＳＰＬ）を介して接続されている光加入者線終端装置（ＯＮＵ）が接続されている。メトロ接続装置（ＭＡＰ）は再生器および波長変換器を包含し、加入者線終端装置（ＯＮＵ）と管理・交換局ＺＥＮとの間でのデータ再生が行われる。これによって１００キロメートルの距離をカバーすることができる。
2008532448.tif 000002
【特許請求の範囲】
【請求項１】
光学伝送システム（ＳＰＯＮ）において、
中央の管理・交換局（ＺＥＮ）を有し、
波長多重モードにおいて動作するリング状のメトロコアネットワーク（ＭＥＴ）を有し、
波長変換器および／またはデータ再生器を包含する波長選択性のメトロ接続装置（ＭＡＰ１，ＭＡＰ２，．．．）を有し、
前記メトロ接続装置（ＭＡＰ１，ＭＡＰ２，．．．）と、ＰＯＮ時間多重方法により前記中央の管理・交換局（ＺＥＮ）と論理的に直接的に通信する、光学的なスプリッタ（ＳＰ１，ＳＰ２，．．．）を介してそれぞれ接続されている光加入者線終端装置（ＯＮＵ）との間の双方向で受動的な光学的なアクセスコネクション（ＡＣ１，ＡＣ２，．．．）を有し、
前記メトロ接続装置（ＭＡＰ１，ＭＡＰ２，．．．）においてメトロダウンストリーム信号のうちの１つがそれぞれ選択され、再生され、アクセスダウンストリーム信号（λＤ１，λＤ２）としてアクセスコネクション（ＡＣ１，ＡＣ２，．．．）において、アクセスコネクション（ＡＣ１，ＡＣ２，．．．）の前記メトロ接続装置（ＭＡＰ１，ＭＡＰ２，．．．）から前記光加入者線終端装置（ＯＮＵ）まで伝送され、
前記アクセスコネクション（ＡＣ１，ＡＣ２，．．．）を介して、アクセスアップストリーム信号（λＵ１，λＵ２）が同一の波長または伝送帯域内で選択可能な波長（λＵ，λＤ）でもって伝送され、
前記アクセスアップストリーム信号（λＵ１，λＵ２）は前記メトロ接続装置（ＭＡＰ１，ＭＡＰ２，．．．）において再生され、波長に関してメトロアップストリーム信号（ＳλＵ１，ＳλＵ２）に変換され、前記メトロコアネットワークにおいて前記管理・交換局（ＺＥＮ）に伝送されることを特徴とする、光学伝送システム。
【請求項２】
前記メトロコアネットワーク（ＭＥＴ）は双方向のリングネットワークとして実施されており、該リングネットワークにおいてはメトロダウンストリーム信号（ＳλＤ１，ＳλＤ２，．．．）および相応のメトロアップストリーム信号（ＳλＵ１，ＳλＵ２，．．．）が異なる波長（λＤ１，λＤ２，．．．）を用いて伝送される、請求項１記載の光学伝送システム。
【請求項３】
前記メトロコアネットワーク（ＭＥＴ）は単方向のリングネットワークとして実施されており、該リングネットワークにおいてはメトロダウンストリーム信号（ＳλＤ１，ＳλＤ２，．．．）および相応のメトロアップストリーム信号（ＳλＵ１，ＳλＵ２，．．．）が異なる波長（λＤ１，λＤ２，．．．）を用いて伝送される、請求項１記載の光学伝送システム。
【請求項４】
前記メトロコアネットワーク（ＭＥＴ）は保護機能を備えた１ファイバ型または２ファイバ型のリングネットワークとして構成されている、請求項１記載の光学伝送システム。
【請求項５】
前記光加入者線終端装置（ＯＮＵ）と前記メトロ接続装置（ＭＡＰ１，ＭＡＰ２，．．．）との間の全てのアクセスコネクション（ＡＣ１，ＡＣ２，．．．）において、アクセスアップストリーム信号（λＵ１，λＵ２）および／またはアクセスダウンストリーム信号（λＤ１，λＤ２）が統一された波長（λＵ，λＤ）で伝送される、請求項１記載の光学伝送システム。
【請求項６】
前記メトロ接続装置（ＭＡＰ１，ＭＡＰ２，．．．）は複数の異なるサービス（ＺＤ）に対応する信号のための波長変換器を有し、該信号は前記メトロコアネットワーク（ＭＥＴ）においてそれぞれ異なる波長（Ｚλ１；Ｚλ２，．．．）および前記アクセスコネクション（ＡＣ１，ＡＣ２，．．．）により、全てのアクセスコネクション（ＡＣ１，ＡＣ２，．．．）において同一の波長を有する信号（λＺＤ１，λＺＤ２，．．．）としてそれぞれ波長多重モードにおいて伝送される、請求項１記載の光学伝送システム。
【請求項７】
メトロ接続装置（ＭＡＰ１）とスプリッタ（ＳＰ１）との間のアクセスコネクションは単一の光ファイバ（ＦＩ１）によって実現され、該光ファイバを介して双方向に信号が伝送される、請求項２記載の光学伝送システム。
【請求項８】
前記メトロコアネットワーク（ＭＥＴ）はリングネットワークまたは混合型のネットワークとして構成されており、前記メトロコアネットワークにおける前記メトロ接続装置（ＭＡＰ）との保護コネクションは第２の光ファイバ（Ｆ２）により切換可能である、請求項１記載の光学伝送システム。
【請求項９】
前記管理・交換局（ＺＥＮ）は中間的な増幅器を要することなく少なくとも１つのファイバ（Ｆ１）を介して前記メトロ接続装置（ＭＡＰ１，ＭＡＰ２，．．．）と接続されている、請求項１記載の光学伝送システム。
【請求項１０】
メトロ接続装置（ＭＡＰ１，ＭＡＰ２，．．．）と加入者線終端装置（ＯＮＵ）との間の前記アクセスコネクション（ＡＣ１，ＡＣ２，．．．）は電気的なエネルギを必要としない能動的な構成要素である、請求項１記載の光学伝送システム。
【発明の詳細な説明】
【技術分野】
【０００１】
本発明は、請求項１の上位概念に記載されている光学伝送システムに関する。
【０００２】
光ネットワークにおいてＳＯＮＥＴ／ＳＤＨ規格に準拠して実施されている広域ネットワーク（コアネットワーク）とアクセスネットワークとは区別される。アクセスネットワークはいわゆるパッシブ・オプティカル・ネットワーク（Passive Optical Network：ＰＯＮ）として実施されており、データ伝送は第１の「波長チャネル」において特別なＰＯＮプロトコルに従い行われる。「ダウンストリーム方向」においては、光加入者線端局装置（Optical Line Terminal：ＯＬＴ）と称されることが多い中央部から、この中央部に接続されており、別個にアドレッシングされている複数の光加入者線終端装置（ＯＮＵ／ＯＮＴ）への伝送が時間多重ブロードキャストモードで行われる。アップストリーム方向」においては、同様に時間多重モードにおいてデータを中央部にバーストで送信するか細分化して送信するために、加入者線終端装置（ＯＮＵ／ＯＮＴ）が第２の波長チャネルを共有する。伝送容量は「帯域幅」と称され、中央部と加入者線終端装置との間で変化する可能性がある。ペイロードとも称される有効データは例えば「非同期転送モード（ＡＴＭ）」またはコストの理由からイーサネット規格に従い伝送される。イーサネットＰＯＮの主たる利点は複雑でしたがって高価なＡＴＭ構成要素またはＳＯＮＥＴ構成要素が省略されることである。このネットワークの詳細は論文「Gigabit Ethernet Passive Optical Networks」Gerry Pesavento SeniorおよびMark Kelsey著、Alloptic Inc、Livermore、CA 94550に記載されている。
【０００３】
より高いデータレートのためのこのシステムの発展形態はＩＴＵ規格Ｇ９８４においてＧＰＯＮとして規定されており、またさらに新しい形態は「Ｓｕｐｅｒ  ＰＯＮ」と称され、IEEE Communications Magazine、２０００年２月号第７４〜８２ページにおける表題「The Super PON Demonstrator : An Exploration of Possible Evolution Path for Optical Access Networks」において論じられている。この形態の目標はアクセスネットワークの範囲を拡大し、また接続可能な加入者の数を増加させることである。いわゆるアクセスノード「狭帯域スイッチ（Narrow Band Switch）」がアクセス領域からコアネットワークへと移行されることにより簡略化が達成される（図１，２を参照されたい）。しかしながらアクセス領域は、光加入者線終端装置（ＯＮＴ／ＯＮＯ）に十分な光学的出力を供給するために、従来と同様に能動的な（増幅型）スプリッタ装置を有している。
【０００４】
すなわちこの文献に記載されているネットワークはさらに以下の欠点を有する：アクセス領域においては従来と同様に光再生器（Optical Repeater Unit：ＯＲＵ）が必要とされ、このアクセス領域において使用される光再生器は能動的な構成要素として待機している。到達距離はメトロ領域における比較的大きいネットワーク構造に対しては過度に小さく、また純粋な受動的な領域内にある（図２においてＤｒｏｐ（１０ｋｍ）で表されている）。
【０００５】
したがって本発明の課題は到達距離が大きくまた構造が簡単な光学伝送システムを提供することである。
【０００６】
その種のシステムは請求項１に記載されている。
【０００７】
本発明の有利な実施形態は従属請求項に記載されている。
【０００８】
この伝送システムにおいてはメトロ領域とアクセス領域ないしメトロコアネットワークとアクセスコネクションが区別される。メトロ領域とアクセス領域とが交わる地点では再生器および／または波長変換器を有するメトロ接続装置が使用される。このメトロ接続装置はダウンストリーム方向およびアップストリーム方向のための再生器（増幅器）を有しているので、これにより管理・交換局と加入者線終端装置との間の到達距離は実質的に拡大される。
【０００９】
メトロ接続装置までのメトロ領域においてのみ電流供給部も必要とされる。この領域にのみ能動的なコンポーネントが存在しているので、保守は実際のところ同様にこの領域に限定される。これに対して後続のメトロ接続点と光加入者線終端装置（ＯＮＵ／ＯＮＴ）との間のアクセスコネクションは純粋に受動的に実施されているので、実際に保守は必要とされない。
【００１０】
好適にはメトロ領域において伝送が波長多重モードで行われるので、複数のアクセスコネクションの膨大な量のデータを伝送することができる。管理・交換局は設備を一点に集中させるので、拡張を問題なく行うことができる。同様にこの中央部から監視が行われる。
【００１１】
メトロ領域は有利にはリングネットワークとして実施される。何故ならば、それにより最適な面占有を最小限の手間で達成することができるからである。動作の安全性は第２のファイバを有する保護リングによって著しく高められる。
【００１２】
全てのアクセスコネクションにおいては同一のサービスに対して同一の波長が使用されるので、統一的な光加入者線終端装置を使用することができる。
【００１３】
コストの理由からアクセス領域における伝送は単一のファイバを介して双方向で行われるが、相互的な信号障害を回避するために各伝送方向に対して異なる波長が使用される。さらにはこのファイバを介して複数の異なるサービスを異なる波長を用いて伝送することができる。
【００１４】
ネットワークは従来のネットワークよりも大きい範囲を有するので、修正されたＰＯＮプロトコルはデータ交換を制御する。
【００１５】
本発明の実施例を図面に基づき詳細に説明する。ここで、
図１は伝送システムの原理回路図を示し、
図２はメトロ接続装置を示し、また、
図３は伝送システムの変形形態を示す。
【００１６】
伝送システムは管理・交換局ＺＥＮと光加入者線終端装置ＯＮＵへの複数のアクセスコネクションとを有するメトロコアネットワークＭＥＴから構成されている。例えば管理・交換局ＺＥＮの機能を拡張された光加入者端局装置（ＯＬＴ）と比較することができる。データ伝送は管理・交換局ＺＥＮと加入者線終端装置ＯＮＵとの間において双方向でＰＯＮプロトコルに従い行われる。
【００１７】
メトロコアネットワークＭＥＴは図１において２つのファイバＦ１，Ｆ２を有する双方向リングネットワークとして構成されている。このリングネットワークを１つのファイバを有する双方向リングネットワークもしくは１つまたは２つのファイバを有する単方向リングネットワークとして構成することもできる。しかしながらこのネットワークは混合的なネットワークであっても良い。
【００１８】
図１によるメトロネットワークにおいては、管理・交換局ＺＥＮと種々のメトロ接続装置ＭＡＰ１〜ＭＡＰ３との間のデータ伝送は波長多重モードにおいて双方向で行われる。メトロコアネットワークにおける伝送を１つのファイバを介して行うことができるか、例えば各伝送方向に対して別個に設けられている２つのファイバを介して双方向で行うことができる。第２のファイバの使用は動作の安全性を実質的に高めることに寄与する。何故ならば、障害発生時には管理・交換局ＺＥＮと各メトロ接続装置ＭＡＰ１〜ＭＡＰ４との間の動作を公知の代替接続法によって維持することができるからである。
【００１９】
メトロコアネットワークＭＥＴのメトロ接続装置ＭＡＰ１〜ＭＡＰ３と光加入者線終端装置ＯＮＵ（Optical Network Units：ＯＮＵまたはOptical Network Terminals：ＯＮＴ）」はそれぞれ純粋な受動的な光「アクセスコネクション」を構成し、このコネクションを介してデータが同様に双方向で伝送される。第１のアクセスコネクションＡＣ１はメトロ接続装置ＭＡＰ１に接続されるアクセス光導波体ＦＩ１と受動的なスプリッタＳＰ１とによって実現されており、このスプリッタＳＰ１の別の端子には複数の光加入者線終端装置ＯＮＵが接続されている。別のアクセスコネクションＡＣ２〜ＡＣ４も相応に構成されている。もっともスプリッタＳＰ１，ＳＰ２，．．．によって、接続されているそれぞれの加入者線終端装置ＯＮＵに供給される受信能力は分割比に応じて低減される。目下のところ約１：１００の分割比を得ようと努められており、このためには出力が相応に高いレーザないし増幅器をメトロ接続装置内に設けなければならず、また必要に応じて妨害的な非線形の作用に対する措置を講じなければならない。加入者線終端装置ＯＮＵには、大抵の場合光−電気変換が行われた後に、加入者装置が接続されている。
【００２０】
伝送システムはアクセスコネクションＡＣ１〜ＡＣ４（図１においては部分的にのみ示されている）が能動的な構成要素を包含しないように設計されている。メトロ接続装置ＭＡＰおよび加入者線終端装置ＯＮＵのみが能動的な構成要素、したがって電気エネルギを必要とする。残りの伝送システム、すなわちメトロコアネットワークも有利には、メトロ接続装置ＭＡＰと管理・交換局ＺＥＮとの間に増幅器が必要とされないように設計されている。ここでもまた２つのファイバを使用する場合の代替接続が可能である。
【００２１】
ダウンストリーム方向（管理・交換局ＺＥＮからメトロ接続装置ＭＡＰを介するこのメトロ接続装置ＭＡＰに接続されている加入者線終端装置ＯＮＵへの方向）においては、データ伝送がブロードキャスト時間多重モードにおいてパッシブ・オブティカル・ネットワークに関して有効なＩＴＵ規格に従い、もしくは修正された規格に従いそれぞれダウンストリームパルスフレームにおいて行われる。この多重信号を本明細書においてはメトロダウンストリーム信号と称する。管理・交換局ＺＥＮからはメトロコアネットワークＭＥＴの第１のファイバＦ１を介して通常の場合複数のメトロダウンストリームＳλＤ１，ＳλＤ２，ＳλＤ３，．．．が異なる波長λＤ１，λＤ２，λＤ３，．．．（図１においては括弧内に表されている）でもって種々のメトロ接続装置ＭＡＰ１，ＭＡＰ２，ＭＡＰ３，ＭＡＰ４に送信される。メトロ接続装置は接続されているアクセスコネクションに属する「波長」をそれぞれ選択（ドロップ）し、次いで選択されたメトロダウンストリーム信号の波長をアクセスダウンストリーム信号の全てのアクセスコネクションに対して等しい波長λＤに変換する。メトロダウンストリーム信号ＳλＤ１が第１のメトロ接続装置ＭＡＰ１において選択され、アクセスダウンストリーム信号λＵ１へと波長に関して変換される。信号が変化しないままである場合には、信号は論理的にトランスパレントな信号として直接的に中央の管理・交換局ＺＥＮと光加入者線終端装置ＯＮＵとの間で伝送される。費用に関して有利な変形形態においては、ダウンストリーム信号は増幅されるだけであり、波長は変化されない。スプリッタを介して接続されている、加入者線終端装置ＯＮＵの個々の広帯域受信回路はこの波長を受け入れる。受信回路は種々のアドレスを介して問い合せられ、所定の情報を選択する。付加的なサービスが別の波長帯域において伝送される場合には、波長に関する選択が全てのＯＮＵに対して行われ、この選択には一方では管理・交換局ＺＥＮとの間の動作のための全ての波長λＤ１，λＤ２，λＤ３が包含され、他方では他のサービスが包含される。
【００２２】
アップストリーム方向においては、先行して光加入者線終端装置の同期が行われた後に、伝送が同様に時間多重モードにおいてパッシブ・オブティカル・ネットワークに関して有効なＩＴＵ規格ないし修正されたＩＴＵ規格に従い行われる。加入者線終端装置ＯＮＵからそれぞれの所属のタイムスロットにおいて送信され、場合によってはセキュリティホールを有するデータブロックまたはデータパケットはＴＤＭ信号に統合され、アップストリームパルスフレームにおいて伝送される。データブロックまたはデータパケットはペイロード（本来伝送すべきデータ）以外にも信号品質、必要とされる帯域幅、ルーティング情報などに関する付加的な情報をさらに包含することができる。帯域幅ないし伝送容量の割り当てを管理・交換局によって固定的に行うことができるか、択一的に必要条件または優先順位に依存して動的に行うことができる。
【００２３】
全てのメトロダウンストリーム信号ＳλＤ１，ＳλＤ２，ＳλＤ３，．．．を同一の波長λＤのアクセスダウンストリーム信号に変換することができるか、波長を変換せずにＯＮＵに伝送することができる。これに対して、同一の波長λＵでアクセスコネクションにおいて伝送される全てのアクセスアップストリーム信号λＵ１，λＵ２，λＵ３，．．．は、メトロコアネットワークＭＥＴの第２のファイバＦ２を介して管理・交換局ＺＥＮに伝送される、異なる波長λＵ１，λＵ２，λＵ３，．．．を有するメトロアップストリーム信号ＳλＵ１，ＳλＵ２，ＳλＵ３，．．．に変換されなければならない。アップストリーム信号の「論理的」な変換は同様に行われず、波長以外は変化しない。要約すると、管理・交換局ＺＥＮと加入者線終端装置ＯＮＵとの間のデータ伝送は使用されるＰＯＮプロトコルに応じて論理的な変換なしで直接的に行われる。
【００２４】
管理・交換局ＺＥＮは広域ネットワークＷＮおよび／または他のメトロネットワークと接続されており、これらのネットワークを介して全てのコネクション、例えば異なるアクセスコネクションＡＣ１およびＡＣ２に接続されている２つのＯＮＵ間のコネクションが延びている。
【００２５】
リングネットワークおよびアクセスコネクションを介して複数の異なる種類の信号ＺＤλ（付加サービス）を波長多重モードで伝送することができ、これらの信号ＺＤλのうち図１においては１つだけが示されている。このサービスはブロードキャストサービスであっても良い。例示的に示されているアクセス信号、例えばλＤ１の代わりに、種々の波長の束をアクセスコネクションを介して伝送することができる。この場合には種々の加入者装置が波長デマルチプレクサを介して加入者線終端装置ＯＮＵに接続される。
【００２６】
光学伝送システムはより広範な領域をカバーするために考案されている。すなわちメトロネットワークによっておよび７０ｋｍの距離をカバーし、アクセスコネクションによってさらに３０ｋｍ以上の距離をカバーすることができる。このためにメトロ接続装置ＭＡＰ１，ＡＰ２，ＭＡＰ３には再生器、有利には３Ｒ再生器が設けられており、これらの再生器は受信した信号を振幅、パルス形状およびクロックに関して再生する。今日の従来技術においてはこのために入力側において光−電気変換器を必要とし、出力側において電気−光変換器が必要とされる。管理・交換局ＺＥＮに接続されるメトロ接続装置を相応により簡単に実施することができるか、アクセスコネクションＡＣ４を直接的に管理・交換局に接続することができる。
【００２７】
通常の場合、メトロ接続装置ＭＡＰにおける波長変換機能は増幅機能と組み合わされる。図２は、光−電気−光変換部を備えたメトロ接続装置ＭＡＰの原理的な実施形態を示す。相応の光メトロダウンストリーム信号、例えばＳλＤ１はフォトダイオードＰＤによって電気信号ＤＳ１に変換され、この電気信号ＤＳ１は受信増幅器Ｖ１によって増幅される。位相制御ループＰＬＬはクロック再生に使用される。再生されたクロック信号ＴＳを用いて電気データ信号ＤＳがサンプリング装置ＡＳにおいてサンプリングされる。サンプリングされ、したがってクロック的に再生された電気データ信号は、所望の新たな波長を形成するレーザダイオードＬＤによって変調される。そのようにして形成されたダウンストリーム信号λＤ１は電力増幅器ＬＶを介して出力される。データレート、カプラを含む伝送区間および送受信装置の品質に依存して、コストの理由から必要に応じて少なくともダウンストリーム方向では３Ｒ再生器を省略することができ、また単に１つの増幅器を設けることができる。
【００２８】
アップストリーム方向に対しても同様に再生器装置が設けられている。通常の場合、アップストリーム方向においてはバースト信号が受信され、このバースト信号は種々のレベルおよび種々のビット位相ならびに信号休止期間を有する。したがって、アナログ受信部分も含めた中継装置の実施にはよりコストがかかる。再生器はデータバーストを可能な限り完全にエラーなく再生すべきである。ここでもまたデータの再生を（部分的に）光学的な再生器でもって実施することができ、波長変換には非線形の効果も利用することができる。３Ｒ再生器は必要とされることが多い。接続装置と管理・交換局ＺＥＮとの間においては、アップストリーム方向においても比較的大きい位相振動から解放されたポイント・ツー・ポイント動作をバイナリ信号により実現することができる。管理・交換局ＺＥＮの近傍に配置されているメトロ接続装置ＭＡＰ４においては勿論再生器を省略することができる。
【００２９】
図３には択一的な実施形態として、ファイバＦ１と単方向の入力結合および出力結合に適している複数のメトロ接続装置ＭＡＰ１１〜ＭＡＰ１３を有する単方向リングネットワークが示されている。メトロダウンストリーム信号ＳλＤ１，ＳλＤ２，ＳλＤ３，．．．が波長に応じてメトロ接続装置ＭＡＰ１１〜ＭＡＰ１３において選択、増幅され、ＯＮＵへと転送される。アップストリーム方向においてはバースト信号λＵ１，λＵ２，λＵ３，．．．が、選択されたメトロダウンストリーム信号と同じ波長をそれぞれ有するメトロアップストリーム信号ＳλＵ１，ＳλＵ２，ＳλＵ３，．．．へと波長に関して変換され、リングに入力結合される。何よりもこの実施形態は双方向のリングよりも簡単に実現される。この実施形態においても保護を目的として第２のファイバＦ２（破線で示されている）を設けることができるか、ファイバＦ１を保護の目的に関して双方向に動作させることができる。
【図面の簡単な説明】
【００３０】
【図１】伝送システムの原理回路図。
【図２】メトロ接続装置。
【図３】伝送システムの変形形態。
【図１】
2008532448.tif 000003
【図２】
2008532448.tif 000004
【図３】
2008532448.tif 000005
【手続補正書】
【提出日】平成18年11月30日(2006.11.30)
【手続補正１】
【補正対象書類名】特許請求の範囲
【補正対象項目名】請求項１
【補正方法】変更
【補正の内容】
【請求項１】
光学伝送システム（ＳＰＯＮ）において、
中央の管理・交換局（ＺＥＮ）を有し、
波長多重モードにおいて動作するリング状のメトロコアネットワーク（ＭＥＴ）を有し、
波長変換器および／またはデータ再生器を包含する波長選択性のメトロ接続装置（ＭＡＰ１，ＭＡＰ２，．．．）を有し、
前記メトロ接続装置（ＭＡＰ１，ＭＡＰ２，．．．）と、パッシブ・オブティカル・ネットワークのための時間多重方法により前記中央の管理・交換局（ＺＥＮ）と論理的に直接的に通信する、光学的なスプリッタ（ＳＰ１，ＳＰ２，．．．）を介してそれぞれ接続されている光加入者線終端装置（ＯＮＵ）との間の双方向で受動的な光学的なアクセスコネクション（ＡＣ１，ＡＣ２，．．．）を有し、
前記メトロ接続装置（ＭＡＰ１，ＭＡＰ２，．．．）においてメトロダウンストリーム信号のうちの１つがそれぞれ選択され、再生され、アクセスダウンストリーム信号（λＤ１，λＤ２）としてアクセスコネクション（ＡＣ１，ＡＣ２，．．．）において、アクセスコネクション（ＡＣ１，ＡＣ２，．．．）の前記メトロ接続装置（ＭＡＰ１，ＭＡＰ２，．．．）から前記光加入者線終端装置（ＯＮＵ）まで伝送され、
前記アクセスコネクション（ＡＣ１，ＡＣ２，．．．）を介して、アクセスアップストリーム信号（λＵ１，λＵ２）が同一の波長または伝送帯域内で選択可能な波長（λＵ，λＤ）でもって伝送され、
前記アクセスアップストリーム信号（λＵ１，λＵ２）は前記メトロ接続装置（ＭＡＰ１，ＭＡＰ２，．．．）において再生され、波長に関してメトロアップストリーム信号（ＳλＵ１，ＳλＵ２）に変換され、前記メトロコアネットワークにおいて前記管理・交換局（ＺＥＮ）に伝送されることを特徴とする、光学伝送システム。
【手続補正２】
【補正対象書類名】明細書
【補正対象項目名】０００２
【補正方法】変更
【補正の内容】
【０００２】
光ネットワークにおいてＳＯＮＥＴ／ＳＤＨ規格に準拠して実施されている広域ネットワーク（コアネットワーク）とアクセスネットワークとは区別される。アクセスネットワークはいわゆるパッシブ・オプティカル・ネットワーク（Passive Optical Network：ＰＯＮ）として実施されており、データ伝送は第１の「波長チャネル」において特別なＰＯＮプロトコルに従い行われる。「ダウンストリーム方向」においては、光加入者線端局装置（Optical Line Terminal：ＯＬＴ）と称されることが多い中央部から、この中央部に接続されており、別個にアドレッシングされている複数の光加入者線終端装置（ＯＮＵ／ＯＮＴ）への伝送が時間多重ブロードキャストモードで行われる。アップストリーム方向」においては、同様に時間多重モードにおいてデータを中央部にバーストで送信するか細分化して送信するために、加入者線終端装置（ＯＮＵ／ＯＮＴ）が第２の波長チャネルを共有する。伝送容量は「帯域幅」と称され、中央部と加入者線終端装置との間で変化する可能性がある。ペイロードとも称される有効データは例えば「非同期転送モード（ＡＴＭ）」またはコストの理由からイーサネット規格に従い伝送される。イーサネットＰＯＮの主たる利点は複雑でしたがって高価なＡＴＭ構成要素またはＳＯＮＥＴ構成要素が省略されることである。このネットワークの詳細は論文「Gigabit Ethernet Passive Optical Networks」Gerry Pesavento SeniorおよびMark Kelsey著、Alloptic Inc、Livermore、CA 94550に記載されている。
特許明細書US 2003/0002776には波長多重モードで動作する網目状のメトロコアネットワークを有する伝送システムが記載されている。メトロコアネットワークには双方向のアクセスコネクションが接続されており、これらのアクセスコネクションは通常のＰＯＮネットワークとは異なり波長多重モードで動作し、したがって相応のコネクションの煩雑さが必要とされる。
【手続補正３】
【補正対象書類名】明細書
【補正対象項目名】０００３
【補正方法】変更
【補正の内容】
【０００３】
より高いデータレートのための前述のシステムの発展形態はＩＴＵ規格Ｇ９８４においてＧＰＯＮとして規定されている。「Ｓｕｐｅｒ  ＰＯＮ」と称されるさらに新しい形態は、IEEE Communications Magazine、２０００年２月号第７４〜８２ページにおける表題「The Super PON Demonstrator : An Exploration of Possible Evolution Path for Optical Access Networks」において論じられている。この形態の目標はアクセスネットワークの範囲を拡大し、また接続可能な加入者の数を増加させることである。これによって、いわゆるアクセスノード「狭帯域スイッチ（Narrow Band Switch）」のアクセス領域からコアネットワークへの移動が簡略化される（図１，２を参照されたい）。しかしながらアクセス領域は、光加入者線終端装置（ＯＮＴ／ＯＮＯ）に十分な光学的出力を供給するために、従来と同様に能動的な（増幅型）スプリッタ装置を有している。
【手続補正４】
【補正対象書類名】明細書
【補正対象項目名】００３０
【補正方法】変更
【補正の内容】
【００３０】
【図１】伝送システムの原理回路図。
【図２】メトロ接続装置。
【図３】伝送システムの変形形態。
【符号の説明】
ＭＥＴ  メトロコアネットワーク、  Ｆ１  第１のファイバ、  Ｆ２  第２のファイバ、  ＺＥＮ  管理・交換局（ＯＬＴ）、  ＡＣ１，ＡＣ２，ＡＣ３  アクセスコネクション、  ＦＩ１，ＦＩ２，ＦＩ３  アクセス光導波体、  ＭＡＰ１，ＭＡＰ２，ＭＡＰ３  メトロ接続装置、  ＯＮＵ  光加入者線終端装置（ＯＮＴとも称する）、  ＳＰ  スプリッタ、  ＷＮ  広域ネットワーク、  λＤ１  アクセスダウンストリーム信号（ダウンストリーム）、  λＵ１  アクセスアップストリーム信号（アップストリーム）、  ＳＤλ１，ＳＤλ２，．．．  メトロダウンストリーム信号、  ＳＵλ１，ＳＵλ２，．．．  メトロアップストリーム信号、  ＺＤλ  付加信号
【国際調査報告】
2008532448.tif 000006
2008532448.tif 000007
2008532448.tif 000008
2008532448.tif 000009
2008532448.tif 000010
2008532448.tif 000011